(57)【要約】【課題】オフセット減算器を用いることなく、高分解能、高精度測定が行えるＩＣテスタを実現することを目的にする。【解決手段】本発明は、被試験対象の出力をＡ／Ｄコンバータで測定を行うＩＣテスタに改良を加えたものである。本装置は、Ａ／Ｄコンバータに上限基準電圧、下限基準電圧を、被試験対象の出力に基づいて可変して与える電圧発生部を備えたことを特徴とする装置である。【選択図】図１
2007147469.tif 000002
【特許請求の範囲】
【請求項１】
被試験対象の出力をＡ／Ｄコンバータで測定を行うＩＣテスタにおいて、
前記Ａ／Ｄコンバータに上限基準電圧、下限基準電圧を、前記被試験対象の出力に基づいて可変して与える電圧発生部を備えたことを特徴とするＩＣテスタ。
【請求項２】
電圧発生部は、
Ａ／Ｄコンバータに下限基準電圧を与える第１のＤ／Ａコンバータと、
Ａ／Ｄコンバータに上限基準電圧を与える第２のＤ／Ａコンバータと
を設けたことを特徴とする請求項１記載のＩＣテスタ。
【請求項３】
被試験対象は、液晶駆動ドライバであることを特徴とする請求項１または２記載のＩＣテスタ。
【請求項４】
被試験対象の出力経路に電流を電圧に変換するＩ／Ｖ変換器を設けたことを特徴とする請求項１または２記載のＩＣテスタ。
【発明の詳細な説明】
【技術分野】
【０００１】
本発明は、被試験対象、例えば液晶駆動ドライバ等の出力をＡ／Ｄコンバータで測定を行うＩＣテスタに関し、オフセット減算器を用いることなく、高分解能、高精度測定が行えるＩＣテスタに関するものである。
【背景技術】
【０００２】
液晶駆動ドライバは、複数ピンから多段階（多階調）電圧を出力し、液晶ディスプレイを駆動している。このような液晶駆動ドライバを試験するＩＣテスタは、例えば、下記特許文献１等に記載されている。以下図３を用いて説明する。
【０００３】
【特許文献１】特開２００２−９８７３８号公報
【０００４】
図２において、被試験対象（以下ＤＵＴと略す）１は液晶駆動ドライバで、複数ピンから多段階電圧を出力する。電圧発生部２は、ＤＵＴ１の多段階電圧に対応したオフセット電圧を出力する。オフセット減算器３は、ＤＵＴ１の出力ピンごとに設けられ、電圧発生部２の出力を入力し、ＤＵＴ１の多段階電圧と電圧発生部２の電圧との差電圧を増幅し出力する。スイッチ４は、オフセット減算器３と並列に設けられる。Ａ／Ｄコンバータ５は、オフセット減算器３またはスイッチ４の出力を入力する。
【０００５】
このような装置の動作を以下に説明する。ＤＵＴ１の出力が、Ａ／Ｄコンバータ５の入力レンジ内の場合、スイッチ４をオンとする。そして、ＤＵＴ１が図示しない信号発生部から入力された入力パターンにより、階調電圧を出力し、スイッチ４を介して、Ａ／Ｄコンバータ５に入力される。Ａ／Ｄコンバータ５が、入力された電圧をデジタルデータにして、このデジタルデータにより、図示しない演算部がＤＵＴ１の良否判定を行う。
【０００６】
また、ＤＵＴ１の出力が、Ａ／Ｄコンバータ５の入力レンジ外の場合、スイッチ４をオフとし、電圧発生部２がオフセット電圧を出力する。そして、ＤＵＴ１が、図示しない信号発生部から入力された入力パターンにより、階調電圧を出力する。オフセット減算器３が、ＤＵＴ１の出力からオフセット電圧を減算し、Ａ／Ｄコンバータ５に出力する。Ａ／Ｄコンバータ５が、入力された電圧をデジタルデータにして、このデジタルデータ、オフセット電圧値により、図示しない演算部がＤＵＴ１の良否判定を行う。
【発明の開示】
【発明が解決しようとする課題】
【０００７】
このような装置では、オフセット減算器３を用いて、Ａ／Ｄコンバータ５の入力レンジ内にＤＵＴ１の出力電圧が収まるようにして、高分解能、高精度測定を実現している。しかし、オフセット減算器３をＡ／Ｄコンバータ５の入力前段に設けなければならず、オフセット減算器の精度やセトリング時間の影響を受けてしまうという問題点があった。
【０００８】
そこで、本発明の目的は、オフセット減算器を用いることなく、高分解能、高精度測定が行えるＩＣテスタを実現することにある。
【課題を解決するための手段】
【０００９】
このような課題を達成するために、本発明のうち請求項１記載の発明は、
被試験対象の出力をＡ／Ｄコンバータで測定を行うＩＣテスタにおいて、
前記Ａ／Ｄコンバータに上限基準電圧、下限基準電圧を、前記被試験対象の出力に基づいて可変して与える電圧発生部を備えたことを特徴とするものである。
請求項２記載の発明は、請求項１記載の発明であって、
電圧発生部は、
Ａ／Ｄコンバータに下限基準電圧を与える第１のＤ／Ａコンバータと、
Ａ／Ｄコンバータに上限基準電圧を与える第２のＤ／Ａコンバータと
を設けたことを特徴とするものである。
請求項３記載の発明は、請求項１または２記載の発明であって、
被試験対象は、液晶駆動ドライバであることを特徴とするものである。
請求項４記載の発明は、請求項１または２記載の発明であって、
被試験対象の出力経路に電流を電圧に変換するＩ／Ｖ変換器を設けたことを特徴とするものである。
【発明の効果】
【００１０】
本発明によれば、電圧発生部が、Ａ／Ｄコンバータに上限基準電圧、下限基準電圧を可変して与えるので、オフセット減算器を用いなくとも、高分解能、高精度測定を行うことができる。また、被試験対象のピンごとにオフセット減算器を設けなくてよいので、安価にできる。また、入力レンジを容易に切り換えることができる。
【発明を実施するための最良の形態】
【００１１】
以下本発明を、図面を用いて詳細に説明する。図１は本発明の一実施例を示した構成図である。ここで、図３と同一のものは同一符号を付し説明を省略する。
【００１２】
図１において、複数のＡ／Ｄコンバータ６は、Ａ／Ｄコンバータ５の代わりに設けられ、ＤＵＴ１のピンごとの出力を入力する。Ｄ／Ａコンバータ７は、複数のＡ／Ｄコンバータ６に下限基準電圧を与える。Ｄ／Ａコンバータ８は、Ｄ／Ａコンバータ７の出力を入力し、この出力に電圧を加算して、複数のＡ／Ｄコンバータ６に上限基準電圧を与える。そして、Ｄ／Ａコンバータ７，８が電圧発生部となる。ここで、上限基準電圧、下限基準電圧は、Ａ／Ｄコンバータ６の入力範囲を規定する電圧である。すなわち、一般的なＡ／Ｄコンバータにおいて、上限基準電圧、下限基準電圧により、比較電圧を作成し、内部のコンパレータで比較を行い、デジタルデータを作成している。演算部９は、複数のＡ／Ｄコンバータ６の出力を入力し、演算を行う。
【００１３】
このような装置の動作を以下に説明する。Ｄ／Ａコンバータ７，８が、図示しない制御部の制御（デジタルデータ）により、Ａ／Ｄコンバータ６にそれぞれ下限基準電圧ＶＬ、上限基準電圧ＶＨを与える。ここで、例えば、ＶＬ＝ＶＳ−ＶＨ／２（ＶＳ：ＤＵＴ１の出力設定値、ＶＨ＞ＶＳ＞ＶＬ）とする。そして、ＤＵＴ１が図示しない信号発生部から入力された入力パターン（出力設定値）により、ＤＵＴ１が階調電圧を出力し、Ａ／Ｄコンバータ６に入力される。Ａ／Ｄコンバータ６が、入力された電圧をデジタルデータにして、演算部９がＤＵＴ１の良否判定を行う。良否判定には、所望の期待値範囲に、ＤＵＴ１の出力が入っているかどうかの判定やピン間ばらつきの判定等を行っている。
【００１４】
そして、ＤＵＴ１の出力設定値ＶＳが変更された場合、図示しない制御部により、Ｄ／Ａコンバータ７，８が、下限基準電圧、上限基準電圧を変更して、Ａ／Ｄコンバータ６に与え、Ａ／Ｄコンバータ６の入力範囲を変更する。
【００１５】
このように、Ｄ／Ａコンバータ７，８が、Ａ／Ｄコンバータ６に、下限基準電圧、上限基準電圧を可変して与えるので、オフセット減算器を用いなくとも、高分解能、高精度測定を行うことができる。また、ＤＵＴ１のピンごとにオフセット減算器を設けなくてよいので、安価にできる。また、入力レンジを容易に切り換えることができる。
【００１６】
なお、本発明はこれに限定されるものではなく、ＤＵＴ１の例として、電圧出力を行う液晶駆動ドライバを示したが、多段階電流出力を行う有機ＥＬ（Electronic Luminescent）ドライバでもよい。この場合、図２に示すように、ＤＵＴ１の出力段にＩ／Ｖ変換器１０を設けて、電流出力を電圧に変換し、Ａ／Ｄコンバータ６に出力する。
【００１７】
また、ＤＵＴ１のピンごとに、Ａ／Ｄコンバータ６を設ける構成を示したが、マルチプレクサ等の選択部を設け、ＤＵＴ１のピンを選択させ、数ピンに１つＡ／Ｄコンバータ６を設ける構成でもよい。
【００１８】
また、演算部９は、Ａ／Ｄコンバータ６とレベル整合をとるためのレベルシフト回路あるいは後段のデジタル回路（図示せず）とレベル整合をとるためのレベルシフト回路を内部に設ける構成でもよい。
【００１９】
また、Ａ／Ｄコンバータ６にレンジ回路を設ける構成でもよい。
【００２０】
また、Ｄ／Ａコンバータ７，８は、ＤＵＴ１のピンごとのＡ／Ｄコンバータ６に下限基準電圧、上限基準電圧を与える構成を示したが、Ｄ／Ａコンバータ７，８を、複数のＡ／Ｄコンバータ６ごとに設ける構成でもよい。
【００２１】
そして、ＤＵＴ１の出力のおおよその電圧を電圧測定部（図示せず）により測定し、Ｄ／Ａコンバータ７，８の電圧値を設定する構成でもよい。
【図面の簡単な説明】
【００２２】
【図１】本発明の実施例を示した構成図である。
【図２】本発明の他の実施例を示した構成図である。
【図３】従来のＩＣテスタの構成を示した図である。
【符号の説明】
【００２３】
１  ＤＵＴ
６  Ａ／Ｄコンバータ
７，８  Ｄ／Ａコンバータ
１０  Ｉ／Ｖ変換器
【図１】
2007147469.tif 000003
【図２】
2007147469.tif 000004
【図３】
2007147469.tif 000005